(57)【要約】      （修正有）【課題】合成樹脂製網状基材を使用し、テープ状又は太糸材料を該基材の網目に挿通して織物様素材を作るに際し、手法が簡単で糸の使用も経済的であり、かつ作品も軽く仕上がる素材を提供する。【解決手段】合成樹脂製網状基材１を使用し、経、緯の何れか一方向の網目列又は双方の網目列に互いに交叉させて各網目列に網目の巾に略近い巾をもつテープ状又は太糸材料３を基材表面側は複数の網目に挿通することなくわたらせて複数の網目毎に網目の上下方向より挿通して網目に結合し、基材表面側に複数の網目にわたるテープ状又は太糸材料を、裏面側に複数の網目毎の網目挿通によるテープ状又は太糸材料結合部を顕出して基材全面にわたり表面側にテープ状材料の並列による織物様組織を形成すると共に、組織の裏面ならびに空隙に網状基材の網目枠を露出せしめた織物様素材である。【選択図】図１
0003148941.tif 000002
【実用新案登録請求の範囲】
【請求項１】
合成樹脂製網状基材を使用し、該網目の経，緯対角線方向の何れか一方向の各網目列に網目の巾に略近い巾を持つテープ状又は１〜数本の太糸材料を、基材表面側は複数の網目に挿通することなくわたらせて複数の網目毎に網目の上下方向より挿通して網目に結合し、基材表面側に複数の網目にわたるテープ状又は太糸材料を、裏面側に複数の網目毎の網目挿通によるテープ状又は太糸材料結合部を顕出して基材表面に顕出したテープ状又は太糸材料の並列による組織を形成すると共に、組織裏面ならびに組織空隙に網状基材の網目枠を露出せしめてなることを特徴とする合成樹脂製網状基材を使用した織物様素材。
【請求項２】
合成樹脂製網状基材を使用し、経緯の各網目列に網目巾に略近い巾をもつテープ状又は１〜数本の太糸材料を夫々表面側で複数の網目にわたり、網目に挿通することなくわたらせて、複数の網目毎に網目の上下より挿通して網目に結合させると共に、上記経緯のテープ状又は太糸材料を適宜、互いに交叉せしめて基材表面に経、緯両方向の複数の網目にわたるテープ状又は太糸材料の交叉による織物組織を形成し、裏面側には複数の網目毎の網目挿通によるテープ又は太糸による結合物を顕出して組織裏面及び組織空隙に網状基材の網目枠を露出せしめてなることを特徴とする合成樹脂製網状基材を使用した織物様素材。
【請求項３】
網目に挿通するテープ状又は太糸材料が異色の複数材料からなる請求項１または２記載の合成樹脂製網状基材を使用した織物用素材。
【考案の詳細な説明】
【技術分野】
【０００１】
本考案はバッグ，小物入れ，テーブルセンターなど、種々の手芸製品の素材地に係り、詳しくは合成樹脂製網状基材の網目列に網目巾に略等しい巾のテープ状又は１〜数本の太糸材料を挿通結合することにより基材面に織物様組織を現出せしめた織物様素材に関するものである。
【背景技術】
【０００２】
合成樹脂網状基材を副資材として、これにかぎ針を用いて手芸糸を編み付け、あるいはとじ針を使用し、網状基材にサテンステッチ等の技法を用いて刺すことによって手提げバッグ，小物入れ，クッション等を個人の趣味，趣向を活かして手芸により創作することは従来より広く知られ、行なわれて来た。
【０００３】
また、網状基材の網目をその方向において経緯に、あるいは網目対角線方向に網目長さと略同じ巾をもつテープ状材料を挿通して平織状に交叉結合し、テープ状素材とその結合により露出する網状基材の四隅部との色彩配合によって多彩な生地素材を手芸により製作することも提案されている。（例えば特許文献１参照）
【特許文献１】実公昭５９−３１７５４号公報
【考案の開示】
【考案が解決しようとする課題】
【０００４】
しかし、従前の基材使用の手芸は、かぎ針あるいはとじ針を用いて網状基材に編みつけ、あるいはサテンステッチ等の技法により刺す手芸が用いられ、何れも網状材料あるいはテープ状又は太糸材料の使用量が多くなり、作品の重量が重くなって非経済的となることを免れなかったのみならず、複雑なかぎ針編みでは編み技法の心得のある者でなければ出来ない面があり、広く子供達への普及には難があった。
【０００５】
本考案は上記の実状に鑑み、従来、部分的に使用されていたとじ針のみを全面に使用し、基材表面に糸がわたるようにして部分的に網目に引っ掛けあるいは通して簡単に出来る織物様素材を見出すことにより子供でも容易になし得るようにすると共に、手芸糸材料使用の経済性を図り作品の軽量化をもたらすことを目的とするものである。
【課題を解決するための手段】
【０００６】
即ち、上記目的に適合する本考案織物様素材は、合成樹脂製網状基材を使用し、該網目の経，緯、対角線方向の何れか一方向の各網目列に網目の巾に略近い巾をもつテープ状又は１〜数本の太糸材料を、基材表面側は複数の網目に挿通することなくわたらせて複数の網目毎に網目の上下方向より挿通して網目に結合し、基材表面側に複数の網目にわたるテープ状又は太糸材料を、裏面側に複数の網目毎の網目挿通によるテープ状又は太糸材料結合部を顕出して基材表面にテープ状材料の並列による組織を形成すると共に、組織裏面ならびに組織空隙に網状基材の網目枠を露出せしめてなる構成を特徴とする。
【０００７】
また、本考案は上記の経，緯方向の一方向に限らず、さらにこれを組み合わせて経，緯の両方向に夫々、前記構成を施し、互いに交叉せしめて基材面に経，緯テープ状又は太糸材料による織物様組織を形成することも特徴であり、合成樹脂製網状基材を使用して、その経，緯の各網目列に網目巾に略近い巾をもつテープ状又は１〜数本の太糸材料を夫々、基材表面側で複数の網目にわたり、網目に挿通することなく顕出させ、複数の網目毎に網目の上下方向より挿通して網目に結合し、裏面側に顕出させると共に、上記の経，緯のテープ状又は太糸材料を基材表面側において適宜、互いに交叉形成せしめて基材表面に経，緯両方向のテープ状又は太糸材料による織物組織を作出し、組織裏面ならびに組織空隙に網状基材の網目枠を露出せしめた構成よりなる。なお、上記の各織物様素材において網目に挿通するテープ状又は太糸材料として異色の複数材料を用いることは色彩効果面でより好適である。
【考案の効果】
【０００８】
本考案織物用素材は上記の如くテープ状又は１〜数本の太糸を複数の網目にわたり網目に挿通することなくわたらせ、複数の網目毎に網目枠に結合せしめて基材表面側に織物組織を形成し、裏面側ならびに組織空隙に網目枠を露出せしめているので、とじ針のみを用いて容易に形成することが出来、従来の如く複雑なかぎ針による編み手芸は不要で、子供でも容易に作ることができる簡易さを有する共に、基材表面側ではテープ状又は太糸材料が複数の網目にわたって顕出し、裏面側では網状基材が露出して殆どテープ状又は太糸材料が出ないため使用する材料も頗る経済的となり、作品も従来に比し軽く形成できる利点がある。
【０００９】
なお、組織裏側や空隙には基材の網状枠が露出され、経緯テープ状又は太糸材料の各色彩を選定することにより作品外観を良好ならしめ、手芸操作による創作意欲の向上に寄与する効果も期待される。
【考案を実施するための最良の形態】
【００１０】
以下、更に添付図面を参照して本考案の具体的形態を説明する。図１は本考案素材の1例を示す表面図、図２は同例の裏面図であり、図において１は合成樹脂製網状基材、２は該基材の網目であり、該網目２は図においては四角形状をなしているが、製品の形状に適合する如く円形，長方形など、種々の形状のものでも使用可能である。
【００１１】
一方、３は本考案において上記合成樹脂製網状基材１に対し手芸材料の１つとして使用されるテープ状材料で、通常、網目の巾に略近い巾を有し、扁平かつ長尺の材料であり、図中の３ａ，３b，３ｃは夫々異色のテープ材料である。そして、これらテープ状材料３は前記網状基材１を使用し、その網目２にとじ針を使用して引っ掛けるか又は通して各網目列において表面側で複数の網目を挿通することなく渡らせて、複数の網目毎に網目の上下方向より挿通して網目の枠に結合する操作を繰り返し、表面側に前記複数の網目にわたるテープ材料が顕出し、そして裏面側には前記複数の網目毎の上下よりの挿通による結合部のみが顕出し、基材の網目枠が露出するようにして、網目列の表面側に複数網目にわたるテープ材料による組織が形成され、これが基材１において並列する各網目列に形成されて基材全面における並列組織が得られる。なお、この場合、組織の裏面側及び空隙には網状基材の網目枠が随時、露出されている。
【００１２】
ここで上記各網目列においてテープ材料が挿通されることなくわたる複数の網目数は同一であってもよいが、各網目列において変化させることも好ましく、また、テープ材料の色彩も同一でなく、図示のテープ材料３ａ，３b，３ｃの如く異色とすることも効果的である。
【００１３】
なお、上記各網目列に対するテープ状材料の挿通による基材表面の織物様素材としては、網状基材１の経方向にテープ状材料３が並ぶ経並列組織のみであってもよく、また緯方向にテープ状材料３が並ぶ緯並列組織のみであってもよいが、両者を組み合わせ、経，緯両テープ状材料により平織様の変化組織とすることが手芸製品素材としてより有効である。
【００１４】
図１，図２はかかる経，緯両方向にわたるテープ材料の組み合わせによる平織変化組織様の素材を示しており、網状基材１に対し、経方向，緯方向共に前述の如く各列とも表面側では複数の網目２はテープ状材料３を挿通することなく、わたらせて複数の網目毎に網目２の上下方向より挿通して網目枠を介し網目に結合する繰り返しによって並列組織が形成されていると共に、上記経方向と緯方向の並列される両テープ状材料３は互いに基材表面側において直交交叉により結合されて全体として組織空隙に随時、網目枠を露出する平織変化組織様の素材に形成されている。
【００１５】
一方、裏面側では図２に示す如く、テープ状材料の上下よりの挿通による結合部を除いて網目状基材の網目枠が殆ど露出されており、テープ状材料は殆ど露出することはない。
【００１６】
なお、上記経方向と緯方向のテープ状材料３の基布表面における交叉結合位置は適宜、選定され、これによって全面における経，緯両テープ材料の交叉による表面側組織も変化する。特にテープ状材料３として図示の如く異色の材料３ａ，３b，３ｃを使用するときは該色彩の変化と相俟って表面側組織に一層の多彩な変化が得られる。
【００１７】
なお、以上においては手芸材料としてテープ状材料を使用した場合について説明したが、手芸材料としてはテープ状材料に限らず、１本又は２本以上、数本の太糸を網目の幅に略近い状態として使用することも可能であり、また、前記テープ状材料と混用し、より複雑な柄模様を形成させることも好適である。これらの場合、手芸材料の網目への挿通態様は前述したのと同様であり、かつ異色の複数材料を使用し得ることも同様である。
【００１８】
図３は上述の素材をもって作成される製品の１例として手提げバッグＡを示しており、該バッグＡの表面には前記複数の網目にわたるテープ状材料による種々の組織が現出され、裏面側にはテープ材料の網目への挿通結合部のみが現われ、網状基材の網目枠が殆ど露出されている。
【００１９】
なお、以上は網状基材の網目に対し経，緯の両方向にテープ状又は太糸材料を挿通する場合であるが、基材の網目の対角線方向を基準として該方向に対しても経緯と同様にテープ状又は太糸材料を挿通することも可能であり、応用分野である。
【図面の簡単な説明】
【００２０】
【図１】本考案に係る織物様素材の１例を示す表面図である。
【図２】図１に示す織物様素材の裏面図である。
【図３】上記素材による製品例を示す概観図である。
【符号の説明】
【００２１】
１：網状基材
２：網目
３：テープ状材料
３ａ，３b，３ｃ：異色テープ状材料
【図１】
0003148941.tif 000003
【図２】
0003148941.tif 000004
【図３】
0003148941.tif 000005